(57)【要約】【課題】スペーサ部材と液晶部の接触による液晶部の表示不良を防止しつつ、液晶部の外周側（例えば液晶表示手段の液晶部と枠部の隙間）から正面側に照明部の照明が漏れる事を防止できるタッチパネル装置を提供する。【解決手段】このタッチパネル装置１は、液晶部１３と液晶部１３の後側に配置されて液晶部１３を照らし出す照明部１５と液晶部１３の外周側に配置された枠部１７とを備えた液晶表示装置３と、液晶表示装置３の前面側に配置された透明性の抵抗膜式のタッチパネル５と、液晶表示装置３の液晶部１３とタッチパネル５との間隔を確保すべく液晶表示装置３の枠部１７とタッチパネル５の周縁との間に介装されたスペーサ部材７とを備える。スペーサ部材７は、液晶部１３との間隔を空ける様にして、液晶表示装置３の枠部１７の前面１７ｕから液晶部１３の前面１３ｕの周縁１３ｂまでを被覆する様に形成される。【選択図】        図２
2004264989.tif 000002
【特許請求の範囲】
【請求項１】
液晶部と該液晶部の後側に配置されて該液晶部を照らし出す照明部と前記液晶部の外周側に配置された枠部とを備えた液晶表示手段と、前記液晶表示手段の前面側に配置された透明性の抵抗膜式のタッチパネルと、前記液晶表示手段の前記液晶部と前記タッチパネルとの間隔を確保すべく前記液晶表示手段の前記枠部と前記タッチパネルの周縁との間に介装されたスペーサ部材とを備えたタッチパネル装置に於いて、
前記スペーサ部材は、前記液晶部との間隔を空ける様にして、前記液晶表示手段の前記枠部の前面から前記液晶部の前面の周縁までを被覆する様に形成されることを特徴とするタッチパネル装置。
【請求項２】
前記スペーサ部材に於ける前記液晶部を被覆する部分は、その後面が、前記液晶部との間隔を空ける様に窪まされて形成されることを特徴とする請求項１に記載のタッチパネル装置。
【請求項３】
前記スペーサ部材に於ける前記液晶部を被覆する部分は、その前面が、前記タッチパネルとの間隔を空ける様に窪まされて形成されることを特徴とする請求項１又は請求項２に記載のタッチパネル装置。
【請求項４】
前記スペーサ部材は、前記液晶部の前面側では、該前面の表示エリアだけを露出する様にして該前面の周縁を被覆する様に形成されることを特徴とする請求項１乃至請求項３の何れかに記載のタッチパネル装置。
【請求項５】
前記スペーサ部材の後面には、前記液晶表示手段の前記枠部の外周側面に係合する事で、前記枠部に於ける前記スペーサ部材の後面内の位置を位置決めする壁部が凸形成されることを特徴とする請求項１乃至請求項４の何れかに記載のタッチパネル装置。
【請求項６】
前記スペーサ部材の前面には、前記タッチパネルの外周側面に係合する事で、前記タッチパネルに於ける前記スペーサ部材の前面内の位置を位置決めする壁部が凸形成されることを特徴とする請求項１乃至請求項５の何れかに記載のタッチパネル装置。
【発明の詳細な説明】
【０００１】
【発明の属する技術分野】
本発明は、車載表示装置等に用いられる抵抗膜式のタッチパネル装置に関する。
【０００２】
【従来の技術】
図１は従来のタッチパネル装置の全体斜視図である。図４は図１のＩＶ−ＩＶ横断面図である。
【０００３】
この種のタッチパネル装置１００として、例えば図１及び図４の様に、液晶部１３と液晶部１３の後側に配置されて液晶部１３を照明する照明部１５と液晶部１３の外周側に配置された枠部１７とを備えた液晶表示装置３と、液晶表示装置３の前面側に配置された透明性の抵抗膜式のタッチパネル５と、液晶表示装置３の液晶部１３とタッチパネル５との間隔を確保すべく液晶表示装置３の枠部１７とタッチパネル５の周縁との間に介装されたスペーサ部材１０７とを備えたものが知られている（特許文献１）。尚、図１及び図４中の要素９は、タッチパネル５及び液晶表示装置３を収容する収容カバーである。
【０００４】
この種のタッチパネル装置１００では、スペーサ部材１０７により液晶部１３とタッチパネル５との間隔が確保される事で、タッチパネル５へのタッチ操作の際に、タッチパネル５が後側に撓んで液晶部１３に接触する事を防止している。
【０００５】
【特許文献１】特開２０００−２２２１６２号公報
【０００６】
【発明が解決しようとする課題】
この種のタッチパネル装置１００では、液晶部１３の表示不良防止の観点から、スペーサ部材１０７が液晶部１３に例えば被覆状に接触する事を防止すべく、スペーサ部材１０７が液晶部１３から離されて配置される。
【０００７】
その為、液晶部１３の外周側（例えば液晶部１３と枠部１７との隙間）から正面側に照明部１５の照明Ｓが漏れ、夜間の液晶部１３の表示の意匠性を損なうという欠点があった。
【０００８】
そこで、この発明の課題は、スペーサ部材と液晶部との接触による液晶部の表示不良を防止しつつ、液晶部の外周側（例えば液晶表示手段の液晶部と枠部との隙間）から正面側に照明部の照明が漏れる事を防止できるタッチパネル装置を提供することにある。
【０００９】
【課題を解決するための手段】
上記課題を解決する為には、請求項１に記載の発明は、液晶部と該液晶部の後側に配置されて該液晶部を照らし出す照明部と前記液晶部の外周側に配置された枠部とを備えた液晶表示手段と、前記液晶表示手段の前面側に配置された透明性の抵抗膜式のタッチパネルと、前記液晶表示手段の前記液晶部と前記タッチパネルとの間隔を確保すべく前記液晶表示手段の前記枠部と前記タッチパネルの周縁との間に介装されたスペーサ部材とを備えたタッチパネル装置に於いて、前記スペーサ部材は、前記液晶部との間隔を空ける様にして、前記液晶表示手段の前記枠部の前面から前記液晶部の前面の周縁までを被覆する様に形成されるものである。
【００１０】
請求項２に記載の発明は、前記スペーサ部材に於ける前記液晶部を被覆する部分は、その後面が、前記液晶部との間隔を空ける様に窪まされて形成されるものである。
【００１１】
請求項３に記載の発明は、前記スペーサ部材に於ける前記液晶部を被覆する部分は、その前面が、前記タッチパネルとの間隔を空ける様に窪まされて形成されるものである。
【００１２】
請求項４に記載の発明は、前記スペーサ部材は、前記液晶部の前面側では、該前面の表示エリアだけを露出する様にして該前面の周縁を被覆する様に形成されるものである。
【００１３】
請求項５に記載の発明は、前記スペーサ部材の後面には、前記液晶表示手段の前記枠部の外周側面に係合する事で、前記枠部に於ける前記スペーサ部材の後面内の位置を位置決めする壁部が凸形成されるものである。
【００１４】
請求項６に記載の発明は、前記スペーサ部材の前面には、前記タッチパネルの外周側面に係合する事で、前記タッチパネルに於ける前記スペーサ部材の前面内の位置を位置決めする壁部が凸形成されるものである。
【００１５】
【発明の実施の形態】
図１は本発明の実施の形態に係るタッチパネル装置の全体斜視図である。図２は図１のＩＩ−ＩＩ横断面図である。図３は図２の要素７の部分拡大図である。
【００１６】
この実施の形態に係るタッチパネル装置１は、図１及び図２の様に、タッチ操作用画像が表示される液晶表示装置（液晶表示手段）３と、液晶表示装置３の前面側に配置されて液晶表示装置３に表示されたタッチ操作用画像へのタッチ操作を検出する透明性の抵抗膜式のタッチパネル５と、液晶表示装置３とタッチパネル５との間に介装されたスペーサ部材７と、その前面中央の窓部９ｂからタッチパネル５の動作エリア５ａが露出される様にして各要素３，５，７を収容配設する収容カバー９とを備える。
【００１７】
液晶表示装置３は、タッチ操作用画像を生成する液晶部１３と、液晶部１３の後側に配置されて液晶部１３上で生成されたタッチ操作用画像を照らし出す照明部１５と、液晶部１３の外周側に配置された枠部１７とを備える。枠部１７は、その前面１７ｕの中央に形成された開口部１７ａを通じて液晶部１３の前面１３ｕを露出する様にして（ここでは例えば枠部１７の開口部１７ａを通じて液晶部１３の前面１３ｕが枠部１７の前面１７ｕより前に出る様にして）、液晶部１３及び照明部１５を収容する収容ケースとして形成される。
【００１８】
タッチパネル５は、互いに間隔を空けて対向配置された前側の導電性透明シート部材５ｕ及び後側の導電性透明シート部材５ｄを備えて構成される。前側（後側）の導電性透明シート部材５ｕ（５ｄ）は、図示省略の透明シート部材の後面（前面）に例えば所謂マトリックス型又は所謂アナログ型の形成パターンの図示省略の透明電極が形成されて構成される。ここでは、タッチパネル５の動作エリア５ａは、例えば液晶表示装置３の液晶部１３の表示エリア１３ａの内側に設定される。
【００１９】
この構成では、前面側からタッチパネル５へタッチ操作されると、そのタッチ圧によりそのタッチ位置で局所的に各導電性透明シート部材５ｕ，５ｄが短絡される。タッチパネル５上での前記短絡位置（即ちタッチ位置）は、導電性透明シート部材５ｕ，５ｄの透明電極の形成パターンの型（マトリクス型又はアナログ型）に対応した検出原理に従って図示省略の検出部により検出される。これによりタッチパネル５へのタッチ操作（即ち液晶表示装置３に表示されたタッチ操作用画像へのタッチ操作）が検出される。
【００２０】
スペーサ部材７は、例えば樹脂部材又は弾性部材により形成される。このスペーサ部材７は、液晶部１３との間隔を空ける様にして、且つ液晶部１３の前面１３ｕの表示エリア１３ａ内及びタッチパネル５の動作エリア５ａ内にはみ出ない様にして、液晶表示装置３の枠部１７の前面１７ｕから液晶部１３の前面１３ｕの周縁１３ｂまでを被覆する様に形成される。
【００２１】
具体的には、スペーサ部材７は、図２の様に、液晶表示装置３の枠部１７の前面１７ｕから液晶部１３の前面１３ｕの周縁１３ｂまでを（ここでは液晶部１３の前面１３ｕ側では前面１３ａの表示エリア１３ａだけを露出にして前面１３ａの周縁１３ｂを）被覆する平面視枠状の平板状の本体部分７１を有し、本体部分７１の後面に該後面の周縁に渡って液晶表示装置３の枠部１７の位置決め用の壁部７３ｄが凸形成され、本体部分７１の前面に該前面の周縁に渡ってタッチパネル５の位置決め用の壁部７３ｕが凸形成されて形成される。
【００２２】
ここでは、本体部分７１に於ける液晶部１３を被覆する部分７１ａは、図２及び図３の様に、その部分７１ａの後面７１ｄが、液晶部１３との間隔を空ける様に窪まされて（例えばその後面７１ｄ側の先端７１ｂ角部が凹状に面取りされる様にして）形成され、その部分７１ａの前面７１ｕが、タッチパネル５との間隔を空ける様に窪まされて（例えばその前面７１ｕ側の先端７１ｂ角部が平面状に面取りされる様にして）形成される。本体部分７１の後面側の壁部７３ｄは、図２の様に、液晶表示装置３の枠部１７の外周側面に係合する事で、枠部１７に於ける本体部分７１の前記後面内の位置を適切な位置に位置決めし、これによりスペーサ部材７が表示エリア１３ａ内にはみ出ない様にスペーサ部材７を液晶表示装置３の前面側の適切な位置に配置させる。本体部分７１の前面側の壁部７３ｕは、図２の様に、タッチパネル５の外周側面に係合する事で、タッチパネル５に於ける本体部分７１の前記前面内の位置を適切な位置に位置決めし、これによりスペーサ部材７がタッチパネル５の動作エリア５ａ内にはみ出ない様にスペーサ部材７をタッチパネル５の後面側の適切な位置に配置させる。
【００２３】
以上のように構成されたタッチパネル装置１によれば、液晶部１３との間隔を空ける様にして（即ちスペーサ部材７と液晶部１３とが接触する事無く）、液晶表示装置３の枠部１７の前面１７ｕから液晶部１３の前面１３ｕの周縁１３ｂまでを被覆する様に形成される為、スペーサ部材７と液晶部１３との接触による液晶部１３の表示不良を防止しつつ、液晶部１３の外周側（例えば枠部１７と液晶部１３との隙間）から正面側に照明部１５の照明が漏れる事を防止できる。
【００２４】
又、スペーサ部材７に於ける液晶部１３を被覆する部分７１は、その部分７１の後面７１ｄが、液晶部１３との間隔を空ける様に窪まされて形成される為、スペーサ部材７と液晶部１３との間隔を十分に確保できて（特に液晶部１３の前面１３ｕが枠部１７の前面１７ｕより前側に出ていてもスペーサ部材７と液晶部１３との間隔を十分に確保できて）、スペーサ部材７と液晶部１３との接触を適切に防止できる。
【００２５】
又、スペーサ部材７に於ける液晶部１３を被覆する部分７１は、その部分７１の前面７１ｕが、タッチパネル５との間隔を空ける様に窪まされて形成される為、タッチ操作によりタッチパネル５が後側に撓んでも、そのタッチパネル５によりスペーサ部材７に於ける液晶部１３を被覆する部分７１が後側に押される事を防止でき、これによりタッチパネル５が後側に撓んでもスペーサ部材７と液晶部１３との間隔を適切に確保できる。
【００２６】
又、スペーサ部材７は、液晶部１３の前面１３ｕ側では、該前面１３ｕの表示エリア１３ａだけを露出する様にして該前面１３ｕの周縁１３ｂを被覆する様に形成される為、液晶部１３の表示エリア１３ａの視認性を妨げる事無く、確実に液晶部１３の外周側（例えば液晶部１３と枠部１７との隙間）から正面側に照明部１５の照明が漏れる事を防止できる。
【００２７】
又、スペーサ部材７の後面には、液晶表示装置３の枠部１７の外周側面に係合する事で、枠部１７に於けるスペーサ部材７の前記後面内の位置を位置決めする壁部７３ｄが凸形成される為、スペーサ部材７を液晶表示装置３の前面側の適切な位置に位置決めさせて液晶表示装置３とタッチパネル５との間に介装できる。
【００２８】
又、スペーサ部材７の前面には、タッチパネル５の外周側面に係合する事で、タッチパネル５に於けるスペーサ部材７の前記前面内の位置を位置決めする壁部７３ｕが凸形成される為、スペーサ部材７をタッチパネル５の後側の適切な位置に位置決めさせて液晶表示装置３とタッチパネル５との間に介装できる。
【００２９】
【発明の効果】
請求項１に記載の発明によれば、スペーサ部材は、液晶部との間隔を空ける様にして（即ちスペーサ部材と液晶部とが接触する事無く）、液晶表示手段の枠部の前面から液晶部の前面の周縁までを被覆する様に形成される為、スペーサ部材と液晶部との接触による液晶部の表示不良を防止しつつ、液晶部の外周側（例えば液晶表示手段の枠部と液晶部との隙間）から正面側に照明部の照明が漏れる事を防止できる。
【００３０】
請求項２に記載の発明によれば、スペーサ部材に於ける液晶部を被覆する部分は、その後面が、液晶部との間隔を空ける様に窪まされて形成される為、スペーサ部材と液晶部との間隔を十分に確保できて（特に液晶部の前面が枠部の前面より前側に出ていてもスペーサ部材と液晶部との間隔を十分に確保できて）、スペーサ部材と液晶部との接触を適切に防止できる。
【００３１】
請求項３に記載の発明によれば、スペーサ部材に於ける液晶部を被覆する部分は、その前面が、タッチパネルとの間隔を空ける様に窪まされて形成される為、タッチ操作によりタッチパネルが後側に撓んでも、そのタッチパネルによりスペーサ部材に於ける液晶部を被覆する部分が後側に押される事を防止でき、これによりタッチパネルが後側に撓んでもスペーサ部材と液晶部との間隔を適切に確保できる。
【００３２】
請求項４に記載の発明によれば、スペーサ部材は、液晶部の前面側では、該前面の表示エリアだけを露出する様にして該前面の周縁を被覆する様に形成される為、液晶部の表示エリアの視認性を妨げる事無く、確実に液晶部の外周側から正面側に照明部の照明が漏れる事を防止できる。
【００３３】
請求項５に記載の発明によれば、スペーサ部材の後面には、液晶表示手段の枠部の外周側面に係合する事で、前記枠部に於けるスペーサ部材の前記後面内の位置を位置決めする壁部が凸形成される為、スペーサ部材を液晶表示手段の前面側の適切な位置に位置決めさせて液晶表示手段とタッチパネルとの間に介装できる。
【００３４】
請求項６に記載の発明によれば、スペーサ部材の前面には、タッチパネルの外周側面に係合する事で、タッチパネルに於けるスペーサ部材の前記前面内の位置を位置決めする壁部が凸形成される為、スペーサ部材をタッチパネルの後側の適切な位置に位置決めさせて液晶表示装置とタッチパネルとの間に介装できる。
【図面の簡単な説明】
【図１】本発明の実施の形態に係るタッチパネル装置の全体斜視図であり、且つ従来のタッチパネル装置の全体斜視図である。
【図２】本発明の実施の形態に係るタッチパネル装置の場合の図１のＩＩ−ＩＩ横断面図である。
【図３】図２の要素７の部分拡大図である。
【図４】従来のタッチパネル装置の場合の図１のＩＶ−ＩＶ横断面図である。
【符号の説明】
１  タッチパネル装置
３  液晶表示装置
５  タッチパネル
５ａ  タッチパネルの動作エリア
７  スペーサ部材
１３  液晶部
１３ｕ  液晶部の前面
１３ａ  液晶部の表示エリア
１３ｂ  液晶部の前面の周縁
１５  照明部
１７  枠部
１７ｕ  枠部の前面
７１ａ  本体部分に於ける液晶部を被覆する部分
７１ｕ  本体部分に於ける液晶部を被覆する部分の前面
７１ｄ  本体部分に於ける液晶部を被覆する部分の後面
７３ｕ，７３ｄ  壁部
【図１】
2004264989.tif 000003
【図２】
2004264989.tif 000004
【図３】
2004264989.tif 000005
【図４】
2004264989.tif 000006